(57)【要約】【課題】  波長多重分割装置において、光波長変換部の送信波長の自動設定を可能とする。【解決手段】  波長多重分割装置の光波長変換部に光出力波長を可変する機能と、送信データに波長情報を重畳し、受信したデータから波長情報を抽出する機能を備え、初期設定時に波長を順次変えて出力する。出力された信号の波長と光波長合分波部の接続ポートの波長が一致したときに対向側と波長情報をやりとりすることができ、波長の自動設定が可能となる。【選択図】図３
2010041444.tif 000002
【特許請求の範囲】
【請求項１】
複数の波長の光信号を波長多重して対向装置との間で送受信する光伝送装置において、
入力された光信号を電気信号に変換し、再び任意の波長の光信号として出力する複数の波長変換部と、
それぞれがあらかじめ定められた波長の光信号を通過させる複数のポートを介して前記複数の波長変換部とそれぞれ接続され、前記波長変換部からの前記ポートを通過した光信号を波長多重して前記対向装置に向けて出力し、および、前記対向装置から受信した光信号を波長ごとに分けて前記波長変換部へ出力する光波長合分波部とを有し、
前記波長変換部は、前記光波長合分波部を介して前記対向装置から受信した光信号を電気信号に変換し、当該電気信号に含まれる、前記対向装置が送信した光信号の波長の情報を、当該波長変換部が前記対向装置から受信した光信号の波長の情報として、前記対向装置に向けて送信する電気信号に重畳することを特徴とする光伝送装置。
【請求項２】
請求項１に記載の光伝送装置において、
前記波長変換部は、前記対向装置に向けて送信する光信号の波長の情報を、前記対向装置に向けて送信する電気信号に重畳することを特徴とする光伝送装置。
【請求項３】
請求項２に記載の光伝送装置において、
前記波長変換部は、前記光波長合分波部を介して前記対向装置から受信した光信号を電気信号に変換し、前記電気信号に含まれる、前記対向装置が受信した光信号の波長の情報を用いて、前記対向装置に向けて送信する光信号の波長を決定することを特徴とする光伝送装置。
【請求項４】
請求項１に記載の光伝送装置において、
前記波長変換部は、
前記対向装置から受信した電気信号から、前記対向装置が送信した光信号の波長の情報を抽出する波長情報抽出部と、
前記対向装置へ送信する電気信号に、前記波長情報抽出部により抽出された、前記対向装置が送信した光信号の波長の情報を挿入する波長情報挿入部とを有することを特徴とする光伝送装置。
【請求項５】
請求項２に記載の光伝送装置において、
前記波長変換部は、
前記対向装置から受信した電気信号から、前記対向装置が送信した光信号の波長の情報を抽出する波長情報抽出部と、
前記対向装置へ送信する電気信号に、前記対向装置に向けて送信する光信号の波長の情報および、前記波長情報抽出部により抽出された、前記対向装置が送信した光信号の波長の情報をそれぞれ挿入する波長情報挿入部とを有することを特徴とする光伝送装置。
【請求項６】
請求項３に記載の光伝送装置において、
前記波長変換部は、
前記対向装置から受信した電気信号から、前記対向装置が送信した光信号の波長の情報および、前記対向装置が受信した光信号の波長の情報をそれぞれ抽出する波長情報抽出部と、
前記対向装置へ送信する電気信号に、前記対向装置に向けて送信する光信号の波長の情報および、前記波長情報抽出部により抽出された、前記対向装置が送信した光信号の波長の情報をそれぞれ挿入する波長情報挿入部とを有することを特徴とする光伝送装置。
【請求項７】
請求項６に記載の光伝送装置において、
前記波長変換部は、
前記対向装置に向けて送信する光信号の波長を、前記波長情報抽出部により抽出された、前記対向装置が受信した光信号の波長の情報に示される波長に設定する波長設定部と、
前記波長設定部に接続され、前記電気信号を前記波長設定部に指示される波長の光信号に変換する送信部とを有することを特徴とする光伝送装置。
【請求項８】
請求項６に記載の光伝送装置において、
前記電気信号はＯＴＮ（Ｏｐｔｉｃａｌ  Ｔｒａｎｓｐｏｒｔ  Ｎｅｔｗｏｒｋ）フレームに従い、前記波長情報抽出部および前記波長情報挿入部は、前記ＯＴＮフレームのオーバーヘッドに含まれる未使用の領域から波長の情報を抽出し、又は挿入することを特徴とする光伝送装置。
【発明の詳細な説明】
【技術分野】
【０００１】
本発明は、光伝送において異なる複数の波長の光信号を波長多重し、既存の光ファイバを効率的に利用可能にする光波長多重分割システムに係り、特に当該装置において各光伝送における光波長変換部の出力波長設定を自動的に設定する方式に関する。
【背景技術】
【０００２】
近年、自前光ファイバやダークファイバを用いて、大容量伝送を実現する手段として、1本の光ファイバにそれぞれ波長の異なる複数の光信号を多重することが可能な波長分割多重方式（Ｗａｖｅｌｅｎｇｔｈ Ｄｉｖｉｓｉｏｎ Ｍｕｌｔｉｐｌｅｘｉｎｇ、以下略してＷＤＭと記載する）が利用されている。
【０００３】
ＷＤＭによる大容量伝送システムの１例として１心のファイバを双方向に用いて２地点間の伝送を行うＷＤＭシステムの一構成例を図１に示す。この構成例では、システムの構成要素として、２地点の各局にあるクライアント装置１０１０、１０２０と、クライアント装置からの光信号をＷＤＭ伝送可能な信号に変換する波長変換部１、４と、各光信号を１本の光ファイバにまとめる光波長合分波部２、５と、２地点を接続する光ファイバ３０を有する。ここに記載したＷＤＭシステムの構成例は簡略な例を示しており、当然、ここに記載された以外の構成要素を適宜組み入れてＷＤＭシステムを構成することは可能である。
【０００４】
光波長合分波部２、５は薄膜フィルタやＡＷＧ（Ａｒｒａｙｅｄ  Ｗａｖｅｇｕｉｄｅ  Ｇｒａｔｉｎｇ）で構成され、各ポートを通過する光波長は固定されている。つまり、光波長合分波部２、５の各ポートはあらかじめ定められた波長の光信号を通過させ、それ以外の波長の光信号は遮断する機能を持つ。光波長変換部１、４を構成するデバイスとしては、光波長固定タイプと光波長可変タイプが存在するが、光波長固定タイプを用いたシステムでは故障を想定した予備用品として全ての光波長用品をそろえる必要があるため、最近は光波長が可変なデバイスを採用する割合が増えている。例えば特許文献１では送信波長を可変にできる波長可変半導体レーザが提案されている。
【０００５】
【特許文献１】特開２００３−１９８０４９号公報
【発明の開示】
【発明が解決しようとする課題】
【０００６】
上述のとおり、光波長合分波部２、５の入出力ポートの波長は固定になっているため、光波長変換部１、４が光波長合分波部２、５のいずれのポートと接続されているかに注意しながら、光波長変換部１、４の入出力波長を設定する必要がある。具体的には、例えば図１において、光波長変換部１Ａは波長λ１の光信号を送信し、波長λ２の光信号を受信して使用することが想定されており、光波長合分波部２の波長λ１を通過させるポートおよび波長λ２を通過させるポートにそれぞれ接続されている。このため、光波長変換部１Ａには波長λ１の光信号を出力するよう設定する必要があるところ、間違って光波長変換部１Ａの出力する光信号の波長を例えばλ３とすると、光波長変換部１Ａからの光信号は光波長合分波部２により遮断されてしまう。
【０００７】
このように、もし光波長変換部１、４に、光波長合分波部２、５の入出力ポートに設定された固定波長とは異なる送信波長を設定すると、光波長変換部１、４から出力された波長は光波長合分波部２、５を通過することはできない。また、光波長変換部１、４の送信波長を適切に設定したとしても、光波長変換部１、４と光波長合分波部２，５との間の接続を間違えた場合には、上記と同様に光波長変換部１、４から出力された光信号は光波長合分波部２，５により遮断されてしまう。
【０００８】
このように、光波長変換部１、４と光波長合分波部２、５の各ポートとの接続や、光波長変換部１、４の波長の設定を手作業で行なう場合、作業者には波長設定作業に対するスキルが要求され、例え作業者にスキルがあったとしても、人為的な接続ミスや設定ミスによる不具合を生じる可能性が潜在している。
【０００９】
本発明の目的は、光波長変換部の波長チューニング制御を改良し、波長変換部の送信波長の自動設定を可能とすることである。
【課題を解決するための手段】
【００１０】
上記課題を解決するため、光波長変換部に、送信する光信号に自身がどの波長の光信号を送信したかを示す情報を含ませるようにする。そしてこの光信号を受信した対向する光波長変換部は、受信した光信号の波長情報を、自身が送信する光信号に載せて送信する。この返信された光信号を受信した光波長変換部は、この光信号に含まれる光信号の波長情報から、自身が送信した光信号が、その波長により対向装置に受信されたことを確認でき、この波長を自身が出力すべき波長として設定する。
【発明の効果】
【００１１】
本発明によれば、光波長変換部の送信波長設定を自動化することができ、波長設定作業の省力化や、設定ミスの低減が図られる。
【発明を実施するための最良の形態】
【００１２】
以下本発明の一実施例を具体的に説明する。図２は本発明が適用される光伝送ネットワークの一構成例を示す図である。図２に示すネットワークでは、複数の信号を１本の光ファイバに波長多重分離するＷＤＭ伝送装置４０，５０、ＷＤＭ信号を光のまま増幅中継する中継装置６０、複数の多重された信号から任意の信号を多重分離するＯＡＤＭ（Ｏｐｔｉｃａｌ  Ａｄｄ／Ｄｒｏｐ  Ｍｕｌｔｉｐｌｅｘｉｎｇ）装置７０により構成される。
【００１３】
図２には、離れた２地点にＷＤＭ伝送装置４０、５０があり、光ファイバの伝送線路中に中継装置６０やＯＡＤＭ装置７０があるポイントツーポイント型のネットワークが例示されている。この他、ＯＡＤＭ装置７０や中継装置６０が環状に配置されたリング型のネットワーク、さらにポイントツーポイント型とリング型を組み合わせたネットワーク等、本発明は様々なトポロジーのネットワークに適用することができる。
【００１４】
図３はＷＤＭ伝送装置４０の一構成例を説明する図である。ＷＤＭ伝送装置４０は大きく分けて、入力された光信号の波長を波長多重に適した波長に変換して出力する光波長変換部１００と、光波長変換部１００における光信号の波長を制御する監視制御部３００と、光波長変換部１００からの複数の波長の光信号を波長多重光信号に合波して光伝送路に送出し、または光伝送路からの波長多重光信号を波長ごとに分波して波長変換部１００に送出する光波長合分波部２００からなる。
【００１５】
光波長変換部１００は、複数の光波長変換部Ａ１１０、光波長変換部Ｂ１２０、…光波長変換部Ｎ１９０を有し、個々の光波長変換部Ａ〜Ｎは、単一波長の光信号を送受信する。光波長変換部Ａ１１０は、外部から受信した光信号を電気信号に変換する受信部（Ｒｘ）１１１、１１９と、光波長変換部内の電気信号を光信号に変換して出力する送信部（Ｔｘ）１１２、１１８と、電気信号に光信号の波長情報を挿入し、もしくは電気信号から光信号の波長情報を抽出する波長情報処理部１１４と、送信部（Ｔｘ）１１８の波長を設定する波長設定部１１６を有する。受信部（Ｒｘ）１１１と送信部（Ｔｘ）１１２は例えばクライアント装置等との間で光信号を送受信する。また、受信部（Ｒｘ）１１９と送信部（Ｔｘ）１１８は、光波長合分波部２００との間で光信号を送受信する。
【００１６】
光波長変換部Ａ１１０の中で受信部（Ｒｘ）１１１は、クライアント装置等から受信した光入力信号を電気信号に変換し、波長情報処理部１１４に入力する。送信部（Ｔｘ）１１８は、波長情報処理部１１４からの電気信号を受信して光信号に変換し、光波長合分波部２００に送出する。逆に、光波長合分波部２００からの光信号は受信部（Ｒｘ）１１９で電気信号に変換された後、波長情報処理部１１４に入力され、その後送信部（Ｔｘ）１１２で再び光信号に変換されてクライアント装置等へ向けて出力される。送信部（Ｔｘ）１１２や受信部（Ｒｘ）１１１が送受信する信号は、例えばイーサネット（登録商標）データなら１０００ＢＡＳＥ−ＳＸ、ＳＤＨデータならＩ−１６インタフェースなどの規格化された信号等でも良い。
【００１７】
波長情報処理部１１４は、波長情報を送信データに重畳する機能を持つ波長情報挿入部１１３と、受信データから波長情報を抽出する機能を持つ波長情報抽出部１１５を備えている。波長情報処理部１１４は受信部（Ｒｘ）１１１から電気信号を受信すると、波長設定部１１６で設定した送信波長を波長情報挿入部１１３にて送信データに重畳し、受信した電気信号を送信部（Ｔｘ）１１８へ入力する。また、受信部（Ｒｘ）１１９からの受信データについては、波長情報抽出部１１５にてその受信データがどの波長の光信号で伝送されたかを示す波長情報を抽出した後、受信データを送信部（Ｔｘ）１１２に送出する。
【００１８】
図４は波長情報を送信するＯＴＮ（Ｏｐｔｉｃａｌ  Ｔｒａｎｓｐｏｒｔ  Ｎｅｔｗｏｒｋ）フレーム構成ならびに、このＯＴＮフレームへの波長情報を格納する一実施例を説明する図である。ＯＴＮフレーム２５１はＯＴＮオーバーヘッド２５２、ペイロード２５３、誤り訂正部２５４で構成される。ＯＴＮオーバーヘッド部２５２には信号の伝送に必要な基本情報を格納し、ペイロード２５３には伝送するデータを格納する。さらにその後に伝送品質を確保するための誤り訂正部２５４が付加される。
【００１９】
ＯＴＮオーバーヘッドには伝送情報の格納領域以外にユーザが任意に設定して使用可能な領域があり、本実施例ではこの任意に設定できる領域に装置管理情報２５５を確保し、その中に送信波長情報２５６と受信波長情報２５７を格納して伝送する。つまり波長情報挿入部１１０はこれから波長多重する光信号の波長の情報を、図４の送信波長２５６で示される領域に格納する。さらに後述するように、波長情報抽出部１１５は受信データのオーバーヘッド２５２中の送信波長２５６で示される領域から対向装置の送信波長の情報を抽出し、波長情報挿入部１１３は、この波長情報抽出部１１５が抽出した波長情報を逆方向に送信する光信号、つまり受信部（Ｒｘ）１１１、波長情報処理部１１４、送信部（Ｔｘ）１１８の順で通過する信号のオーバーヘッド２５２の受信波長２５７で示される領域に格納する。
【００２０】
なお、この実施例ではＯＴＮのフレームフォーマットを用いる場合について説明するが、これ以外のフォーマットによっても本発明を実施でき、信号のある領域に送信波長と受信波長の波長情報を格納できれば、他のどのような信号フォーマットでも良い。
【００２１】
波長設定部１１６は、波長が可変である送信部（Ｔｘ）１１８の波長を設定する。また、波長設定部１１６は、送信部（Ｔｘ）１１８に設定した波長の情報を波長情報処理部１１４の波長情報挿入部１１３に通知する。これにより、波長情報挿入部１１３は、送信部（Ｔｘ）１１８から送信する光信号の波長を送信波長２５６に設定し、波長情報を送信データに重畳することができる。また、後述するように、波長設定部１１６は、送信部（Ｔｘ）１１８の送信波長をλ１からλ２、３…ｎと一定時間毎に設定する機能を持つ。
【００２２】
光波長合分波部２００は複数の光波長信号を多重する機能と、入力された光多重信号を複数の波長に分割する機能とを持った多重/分割部２１０を備えており、光波長合分波部２００はポートごとに対応する特定の波長の光だけを通過させるように構成されている。送信部（Ｔｘ）１１８から出力された光信号は光波長合分波部２００によって、ポートに対応する波長の光だけ通過し、多重/分割部２１０にて一本のファイバに波長多重され送出する。また、光波長合分波部２００は一本のファイバから波長多重信号を受信した後、多重/分割部２１０にて光信号を分波し、ポートに対応した光信号を光波長変換部（１１０〜１９０）に入力する。
【００２３】
図５において、本実施例における光波長多重分割システムの全体の構成、特に対向するＷＤＭ伝送装置の一例を説明する。ＷＤＭ伝送装置４０とＷＤＭ伝送装置５０は、それぞれ図３で説明したＷＤＭ伝送装置と同様の構成であり、これら伝送装置は光ファイバ３０を介して接続されている。ＷＤＭ伝送装置４０の各光波長変換部Ａ１１０〜Ｎ１９０および、ＷＤＭ伝送装置５０の各光波長変換部Ａ´４１０〜Ｎ´４９０は、出力する光信号の波長を変更することが可能なデバイスである。また、ＷＤＭ伝送装置４０の光波長合分波部２００、対向するＷＤＭ伝送装置５０の光波長合分波部５００ともに、各ポートがあらかじめ定められた波長の光信号を通過させる。なお、図５では図２に示した中継装置６０やＯＡＤＭ装置７０の図示は省略しているが、これら装置が間に介在していても良い。
【００２４】
図６は本実施例のＷＤＭ伝送装置４０とＷＤＭ伝送装置５０が情報をやり取りし、送信波長を自動的に設定する処理のシーケンス図の一例である。以下では、ＷＤＭ伝送装置４０の光波長変換部Ａ１１０の送信部（Ｔｘ）１１８が波長λ３を通過させるポートに、ＷＤＭ伝送装置５０の光波長変換部Ａ´４１０の送信部（Ｔｘ）１１８が波長λ４を通過させるポートに、それぞれ接続されている場合を説明する。
【００２５】
ＷＤＭ伝送装置４０の起動時（立ち上げ時）において、光波長変換部Ａ１１０は自身の送信波長の情報を波長情報処理部１１４によって送信データに重畳し、一定時間毎にλ１からλ２、λ３…λｎまで波長を変更しながら光信号を出力する。送信波長情報の重畳は、例えば図４に示した例であれば、波長情報挿入部１１３が送信波長２５６の領域に現在送信している波長の情報を格納することで実行される。
【００２６】
光波長変換部Ａ１１０に接続された光波長合分波部２００のポートは、光波長変換部Ａ１１０が出力したλ１の光信号を通過させず、λ２の光信号も通過させず、λ３の光信号だけを通過させる（７００）。光波長合分波部２００を通過した光信号は波長多重され、光ファイバ３０を介してＷＤＭ伝送装置５０に到達する。ここでＷＤＭ伝送装置５０はまだ起動（立ち上げ）されていないため、ＷＤＭ伝送装置５０の光波長変換部Ａ４１０は光信号を受信せず、波長情報も検出しない。
【００２７】
ＷＤＭ伝送装置４０の光波長変換部Ａ１１０は、対向するＷＤＭ伝送装置５０からの信号を受信しないため、自身の送出する光信号が波長λ３で光波長合分波部２００を通過したことを認識できず、λ４からλnまで波長を変えていく。λnまで波長を変更してもＷＤＭ伝送装置５０からの応答がない場合、光波長変換部Ａ１１０はλ１から再度波長を変更しながら光信号を出力する。なお、波長変換部Ａ１１０が変更すべき波長の幅は、この実施例ではλ１〜λｎとしている。この幅は、接続される光波長合分波部２００の複数のポートが通過させる波長の幅で決定しても良く、あらかじめ光波長合分波部２００が通過させる光信号の波長の幅が分かっている場合は、事前に波長情報処理部１１４や監視制御部３００に波長の幅を設定しておいても良い。このとき、波長情報処理部１１４や、監視制御部３００にメモリ等の記憶部を備えさせ、ここに波長幅の情報を格納しておいても良い。
【００２８】
ＷＤＭ伝送装置５０も起動時（立ち上げ時）において、光波長変換部Ａ´４１０は前記光波長変換部Ａ１１０と同様の動作をし、波長をλ１からλnまで変更しながら光信号を出力する。
【００２９】
ＷＤＭ伝送装置４０から再び波長λ３の光信号を送出すると、この光信号は光波長合分波部２００、対向装置の光波長合分波部５００を通過して光波長変換部Ａ´４１０の波長情報処理部１１４にて検出される（７１０）。その際、ＷＤＭ伝送装置４０は自身の送信波長であるλ３を送信データの送信波長２５６の領域に重畳しているため、ＷＤＭ伝送装置５０の波長情報処理部１１４はＷＤＭ伝送装置４０の送信波長をλ３と認識する。例えば図４のデータフレームを使用した場合では、光波長変換部Ａ´４１０の波長情報検出部１１５は、受信した信号の送信波長領域２５６に格納された波長情報λ３を検出する。ＷＤＭ伝送装置４０から受信した信号の波長がλ３であることが分かると、ＷＤＭ伝送装置５０の波長情報挿入部１１３は、ＷＤＭ伝送装置４０へ送信する信号の受信波長２５７領域に、λ３の波長情報を格納する。
【００３０】
このとき、ＷＤＭ伝送装置５０の光波長変換部Ａ´４１０は、まだ自身の送信波長をλ４に設定すべきことを認識できていないため、引き続き送信波長をλ５からλnまで波長変換しながら、受信波長λ３の情報を重畳したデータをＷＤＭ伝送装置４０に向けて送出し続ける。
【００３１】
光波長変換部Ａ´４１０から波長λ４で送出された光信号は、ＷＤＭ伝送装置５０の光波長合分波部５００を通過し、ＷＤＭ伝送装置４０の光波長合分波部２００を通過して光波長変換部Ａ１１０に到達する。ここで光波長変換部Ａ１１０は、ＷＤＭ伝送装置５０から受信した信号の受信波長２５７の領域にλ３の波長情報を検出する。この受信波長２５７には、対向する光波長変換部Ａ´４１０が受信した光信号の波長が格納されているため、光波長変換部Ａ１１０は対向する装置がλ３の波長で光信号を受信したことを認識する。つまり光波長変換部Ａ１１０は、自身が波長λ３を使用すべきことを認識し、波長設定部１１６が設定する波長をλ３に固定する。
【００３２】
また、光波長変換部Ａ１１０は、ＷＤＭ伝送装置５０から受信した信号の送信波長２５６にλ４の波長情報が格納されていることを検出することで、対向する光波長変換部Ａ´４１５の送信すべき波長がλ４であると判断する。すると波長情報処理部Ａ１１０の波長情報抽出部１１５は、抽出したλ４の情報を波長情報挿入部１１３に受け渡し、波長情報挿入部１１３は、λ４の波長情報を、ＷＤＭ伝送装置５０へ送信する信号の受信波長２５７の領域に格納する。そしてＷＤＭ伝送装置４０の送信部（Ｔｘ）１１８は、送信波長２５６にλ３、受信波長２５７にλ４を格納した信号をＷＤＭ伝送装置５０に向けて送信する。
【００３３】
ＷＤＭ伝送装置５０は、ＷＤＭ伝送装置４０から送信波長２５６にλ３、受信波長２５７にλ４の波長情報が付与された光信号を受信する。すると、光波長変換部Ａ４１０の波長情報処理部１１４にて、波長λ４にて対向装置が信号を受信したことを検知し、自身の送信波長がλ４ということを認識する。そして、光波長変換部Ａ４１０の波長情報処理部１１４は、波長設定部１１６が設定する波長をλ４に固定する。
【００３４】
図７は、波長を決定する処理のフローを説明する図であり、光波長変換部Ａ１１０または光波長変換部Ａ´４１０が実行する処理を説明するものである。以下の説明では、光波長変換部Ａ１１０が実行するものとして説明する。
【００３５】
ＷＤＭ伝送装置４０は、装置起動後に図７に示される送信波長決定処理を実行する。まず、波長設定部１１６は、一定時間毎に送信波長をλ１、λ２、…λｎと変えながら、対向する装置に光信号を送信する（８００）。このとき、波長設定部１１６は送信する信号の波長情報を波長情報挿入部１１３に通知し、波長情報挿入部１１３は、送信する信号の送信波長２５６に通知された波長情報を格納する（８００）。なお、対向装置から信号を受信していない最初の段階では、波長情報挿入部１１３は、受信波長２５７には何も情報を格納しないか、受信波長が不明であることを示す情報を格納しておく。
【００３６】
次に、対向装置から信号を受信しているか否かを確認し（８０１）、受信していない場合は一定時間後に別の波長の光信号を再び送信する（８００）。信号を受信していた場合、波長情報抽出部１１５は、受信した信号に含まれる送信波長２５６を抽出する（８０３）。この送信波長２５６は、対向する装置が送信した光信号の波長情報であり、光波長変換部Ａ１１０が受信できたことから、対向する装置が使用すべき波長となる。このため、波長情報挿入部１１３は、この後の波長決定処理における対向装置に送信する信号の受信波長２５７には、受信信号から抽出した送信波長２５６の波長情報を格納する（８０３）。図６のシーケンスの場合、光波長変換部Ａ１１０が受信した信号に含まれる送信波長２５６は、対向するＷＤＭ伝送装置５０が使用すべき波長λ４である。
【００３７】
さらに光波長変換部Ａ１１０の波長情報処理部１１４は、受信信号に含まれる受信波長２５７に波長情報が格納されているか否かを調べる（８０４）。対向する伝送装置が、お互いに信号を受信せずに波長を変えながら光信号を送信しあっている状態では、この受信波長２５７には波長情報が格納されていない。このときは、再び別の波長の光信号を順次送信する処理を続行する（８００）。この場合でも、光波長変換部Ａ１１０は、送信する信号の受信波長２５７に、ステップ８０３で抽出した波長情報を格納し続ける。
【００３８】
なお、図７のフロー図では、光波長変換部Ａ１１０が、送信波長を変える度にステップ８０１と８０２を実行するように記載しているが、ステップ８０２において最初に送信波長２５６を抽出した場合には、以後この抽出した送信波長２５６の情報をメモリ等の記憶部に保持して、波長を変更してもステップ８０１や８０２の処理を省略するようにしても良い。
【００３９】
受信した信号に受信波長２５７の波長情報が格納されていた場合には、光波長変換部Ａ１１０は、この波長を自身が送信すべき波長であると判断し、対向装置に送信する信号の送信波長２５７にこの波長情報を格納する（８０５）。また、波長情報処理部１１４は、波長設定部１１６にこの波長情報を通知し、以後送信する光信号の波長を受信した信号の受信波長２５７とするよう指示する（８０５）。図６のシーケンスの場合、光波長変換部Ａ１１０が受信した信号に含まれる受信波長２５７は、ＷＤＭ伝送装置４０が使用すべき波長λ３である。
【００４０】
最後に、光波長変換部Ａ１１０は、送信波長２５６にλ３、受信波長２５７にλ４の波長情報を格納した信号を、波長λ３の光信号に変換してＷＤＭ伝送装置５０に送信する（８０６）。ＷＤＭ伝送装置５０でも同様の処理を行い、ＷＤＭ伝送装置４０から受信した信号の受信波長２５７から波長λ４を検出し、以後、ＷＤＭ伝送装置５０の光波長変換部Ａ´４１０が波長λ４の光信号を送信することで、光波長変換部Ａ１１０と光波長変換部Ａ´４１０とが互いに通信を行なう。
【００４１】
以上の実施例で説明したとおり、光波長変換部において送信中の波長情報又は対向に接続された光波長変換部から受信した波長情報を送信データの中に重畳することで、対向装置において受信データの中から波長情報を抽出し光波長合分波部を通過可能な波長を識別、設定することが可能となる。そして、互いに送信波長、受信波長を決定した後、出力波長を固定して通信を開始することにより、自動的に送信波長を決定することが可能となり、波長設定作業の省力化と設定ミスの低減が図られる。
【００４２】
なお、この実施例では光波長変換部Ａ１１０と光波長変換部Ａ´４１０についてのみ説明したが、他の光波長変換部Ｂ１２０〜Ｎ１９０や、光波長変換部Ｂ´４２０〜Ｂ´４９０も同様に、対向する光波長変換部と送信波長、受信波長の情報を交換しあうことで、自身が送信すべき波長を決定することができる。
【００４３】
また、本実施例では1本の光ファイバで送受の波長が異なるように、自装置の送信波長がλ３、対向装置の送信波長がλ４として説明したが、この発明は、自装置と対向装置を接続する光ファイバを二本使用して、双方向同じ波長で伝送する場合にも、この発明を同様に適用することができる。
【００４４】
また、本実施例では、光波長変換部内に波長情報処理部や波長設定部を設ける構成としたが、これら処理部や設定部は適宜光波長変換部外に備えるよう実装しても良い。例えば、これら処理部や設定部を光波長変換部の外に設置して、複数の波長変換部により共有するよう構成しても良い。
【００４５】
近年アクセス系需要の増大により、ＷＤＭ伝送装置の需要が増加している。それと同時に、ユーザへの短期間でのサービス提供が求められて来ており、より短期間で確実な設置工事が必要である。そのため、装置に対する設定の容易化が必要不可欠である。本実施例により、低コストでＷＤＭ装置の波長設定の容易化が可能である。
【００４６】
本実施例では上記した重畳手段、抽出手段、決定手段および制御制御手段を設けることで送信波長の自動設定を実現することができる。
【００４７】
本実施例によれば、自動で波長の設定が可能で波長設定の手間が大幅に削減できると共に、設定・接続作業者に要求されるスキルや技術的な知識を低減することができる。
【図面の簡単な説明】
【００４８】
【図１】１心双方向ＷＤＭシステムの一例を示す図である。
【図２】ＤＷＤＭ／ＯＡＤＭネットワークの一構成例を示す図である。
【図３】ＷＤＭ伝送装置の一構成例を示す図である。
【図４】波長情報格納方法の一例としてＯＴＮフレームを用いた場合を示す図である。
【図５】対向に接続されるＷＤＭ伝送装置との接続構成例である。
【図６】送信波長決定シーケンスの一実施例である。
【図７】波長決定シーケンスのフロー図の一例である。
【符号の説明】
【００４９】
３０…伝送路(光ファイバ)
４０…ＷＤＭ伝送装置
５０…ＷＤＭ伝送装置
６０…中継装置
７０…ＯＡＤＭ装置
１００、４００…光波長変換部
１１４…波長情報処理部
１１６…波長設定部
２００、５００…光波長合分波部
２５５…装置管理情報
２５６…送信波長情報
２５７…受信波長情報
３００、６００…監視制御部
【図１】
2010041444.tif 000003
【図２】
2010041444.tif 000004
【図３】
2010041444.tif 000005
【図４】
2010041444.tif 000006
【図５】
2010041444.tif 000007
【図６】
2010041444.tif 000008
【図７】
2010041444.tif 000009